(57)【要約】【課題】コネクタハウジング内でのジョイント端子部のガタ付きを抑止することのできるアースジョイントコネクタを提供すること。【解決手段】複数個の接続端子２１０を一体形成したジョイント端子部２２０がコネクタハウジング１５に収容されると共に、ジョイント端子部２２０から延出するアーム部２３０の先端にアース端子部２４０が一体形成されるアースジョイント端子１３のアーム部２３０を、ジョイント端子部２２０の側縁からコネクタハウジング１５の側面に延出する第１腕部２３１と、この第１腕部２３１の先端に折り曲げ形成されてコネクタハウジング１５の側面３１３に当接する第２腕部２３２とを備えた構成にする。【選択図】図３
2011065931.tif 000002
【特許請求の範囲】
【請求項１】
複数個の接続端子を一体形成したジョイント端子部と、該ジョイント端子部から延出するアーム部と、該アーム部の先端に設けられて接地接続されるアース端子部とを一枚の金属板で一体成形したアースジョイント端子と、
前記ジョイント端子部を収容するジョイント端子収容部を備えたコネクタハウジングと、
を備えたアースジョイントコネクタであって、
前記アーム部が、前記ジョイント端子部の側縁から前記コネクタハウジングの側面に延出する第１腕部と、この第１腕部の先端に折り曲げ形成されて前記コネクタハウジングの側面に当接する第２腕部とを備えたことを特徴とするアースジョイントコネクタ。
【請求項２】
前記ジョイント端子部は、前記アーム部が側縁から延出する第１のジョイント端子部と、この第１のジョイント端子部の後端側の折り返し部により前記第１のジョイント端子部に平行状態に成形された第２のジョイント端子部と、を備えていることを特徴とする請求項１に記載のアースジョイントコネクタ。
【請求項３】
前記第１のジョイント端子部の後端側の折り返し部における稜線と、前記アーム部の第１腕部と第２腕部との間の折り曲げ部における稜線とが直交することを特徴とする請求項１又は２に記載のアースジョイントコネクタ。
【請求項４】
前記コネクタハウジングの側面に、前記第１腕部を挿通させるスリットを設けたことを特徴とする請求項１〜３のいずれか一つに記載のアースジョイントコネクタ。
【請求項５】
前記コネクタハウジングの外部に露出する位置に、前記第２腕部を前記コネクタハウジングの側面との間に挟持する係止片を設け、該係止片による挟持によって、前記アースジョイント端子が前記コネクタハウジングに固定されることを特徴とする請求項１〜４のいずれか一つに記載のアースジョイントコネクタ。
【請求項６】
前記コネクタハウジングに、前記アース端子部を接地面との間に挟持する補強板を一体形成したことを特徴とする請求項１〜５のいずれか一つに記載のアースジョイントコネクタ。
【発明の詳細な説明】
【技術分野】
【０００１】
本発明は、複数本の電線を一括して接地接続する場合に使用されるアースジョイントコネクタに関する。
【背景技術】
【０００２】
図１１及び図１２に示したアースジョイントコネクタ１は、下記特許文献１に開示されたもので、アースジョイント端子３とコネクタハウジング５とから構成されている。
【０００３】
アースジョイント端子３は、複数個の接続端子１１０を櫛歯状に一体形成したジョイント端子部１１１と、該ジョイント端子部１１１から延出するアーム部１１２と、該アーム部１１２の先端に設けられて接地接続されるアース端子部１１３とを一枚の金属板で一体成形している。
【０００４】
上記アースジョイント端子３は、図１２にも示すように、アース端子部１１３がジョイント端子部１１１の後方（図１２では、矢印Ａ方向）に突出する形態に装備されている。
【０００５】
コネクタハウジング５は、樹脂成形品で、ジョイント端子部１１１を収容するジョイント端子収容部１２１と、相手側のコネクタハウジングが嵌合するコネクタ嵌合部１２２とを備えている。
【０００６】
ところが、上記アースジョイントコネクタ１では、アースジョイント端子３のアース端子部１１３がジョイント端子部１１１の後方に延出している。そのため、アースジョイント端子３をジョイント端子収容部１２１に着脱する際にアース端子部１１３が邪魔になり、コネクタハウジング５に対するアースジョイント端子３の着脱操作が行い難いという問題が生じる。
【０００７】
このような問題を解決できるアースジョイントコネクタとしては、図１３〜図１５に示す構造のものが提案されている。
【０００８】
図１３及び図１４に示したアースジョイントコネクタ１Ａ，アースジョイント端子３Ｂは下記特許文献２に開示されたものである。
【０００９】
図１３に示したアースジョイントコネクタ１Ａも、基本的な構成はアースジョイントコネクタ１と同様で、同様の構成には、アースジョイントコネクタ１における部品番号に添え字Ａ又はＢを追加して示すことで、説明を省略、又は簡略化する。
【００１０】
図１３のアースジョイントコネクタ１Ａが、アースジョイントコネクタ１と相異している点は、アースジョイント端子３Ａにおけるアーム部１１２Ａの延出方向と、アース端子部１１３Ａの位置である。
【００１１】
アースジョイント端子３Ａの場合、接続端子１１０Ａを上下２段に連結している後部の連結板部１１５の側端部から、側方にアーム部１１２Ａが延出している。そして、アーム部１１２Ａの先端にアース端子部１１３Ａが装備されている。
【００１２】
従って、アース端子部１１３Ａは、コネクタハウジング５Ａの側方に突出した配置になっていて、アースジョイント端子３Ａをジョイント端子収容部１２１Ａに着脱する際にアース端子部１１３Ａが邪魔になり難い。
【００１３】
なお、このアースジョイントコネクタ１Ａの場合、アース端子部１１３Ａの向きは、後部の連結板部１１５と略平行になっている。従って、アース端子部１１３Ａには、接続端子１１０Ａの嵌合方向と平行に、接地用のボルトが挿通される。
【００１４】
図１４のアースジョイント端子３Ｂは、図１３のアースジョイント端子３Ａを改良したものである。アースジョイント端子３Ｂのアーム部１１２Ｂは、後部の連結板部１１５の側端部からＬ字型に延出する第１腕部１１２１と、該第１腕部１１２１の先端から下方に垂直に折り曲げられた第２腕部１１２２とを備えた構成である。このようなアーム部１１２Ｂの構成により、接地用のボルト１１７の挿通方向は、接続端子１１０Ａの嵌合方向と直交する方向に変換されている。
【００１５】
図１５に示したアースジョイントコネクタ１Ｃも、基本的な構成はアースジョイントコネクタ１と同様で、同様の構成には、アースジョイントコネクタ１における部品番号に添え字Ｃを追加して示すことで、説明を省略、又は簡略化する。
【００１６】
図１５のアースジョイントコネクタ１Ｃが、アースジョイントコネクタ１と相異している点は、アースジョイント端子３Ｃにおけるジョイント端子部１１１Ｃの構造と、アーム部１１２Ｃの延出方向と、アース端子部１１３Ａの位置である。
【００１７】
アースジョイント端子３Ｃにおけるジョイント端子部１１１Ｃは、上下２段の接続端子１１０Ｃが、側部連結板１１８により一体化されている。また、アーム部１１２Ｃは、ジョイント端子部１１１Ｃの側縁から直接側方に延出している。従って、このアースジョイントコネクタ１Ｃの場合も、アース端子部１１３Ｃは、コネクタハウジング５Ｃの側方に配置される。従って、アースジョイント端子３Ｃをジョイント端子収容部１２１Ｃに着脱する際にアース端子部１１３Ｃが邪魔になり難い。
【先行技術文献】
【特許文献】
【００１８】
【特許文献１】特開２０００−７７１４０号公報
【特許文献２】米国特許第５７８８５１９号明細書
【特許文献３】特開２００４−１９２８８２号公報
【発明の概要】
【発明が解決しようとする課題】
【００１９】
ところが、上記のいずれのアースジョイントコネクタ１，１Ａ，１Ｃの場合も、コネクタハウジング５，５Ａ，５Ｃ上でのアースジョイント端子３，３Ａ，３Ｃの位置規制は、ジョイント端子収容部１２１，１２１Ａ，１２１Ｃ内での嵌合力に頼っていて、ジョイント端子部に嵌合接続される相手端子が少ない場合では、位置規制力が不足して、コネクタハウジング内のジョイント端子部にガタ付きが生じ易いという問題があった。
【００２０】
また、コネクタハウジングとアースジョイント端子との係止手段がコネクタハウジング内に装備されている場合は、係止状態を目視により簡単に確認することができず、また、分解作業も困難になるという不便も生じた。
【００２１】
更に、従来のアースジョイントコネクタでは、図１６に示すように、コネクタハウジング５Ｄの外部に突出したアース端子部１１３Ｄのみが接地部材１３１にボルト１３３等で締結される構成である。そのため、アース端子部１１３Ｄの強度が低いと、コネクタハウジング５Ｄに接続されている接地用電線１３５に接地部材１３１から浮き上がる方向の張力Ｔが作用したとき、アース端子部１１３Ｄに曲げ変形が発生し易いという問題もあった。
【００２２】
そこで、本発明の目的は、上記課題を解消することに係り、コネクタハウジング内でのジョイント端子部のガタ付きを抑止することのできるアースジョイントコネクタを提供することにある。更に、本発明の目的は、コネクタハウジングとアースジョイント端子との係止状態を目視により簡単に確認することができ、また、分解作業を容易にすることができるアースジョイントコネクタを提供することにある。更に、本発明の目的は、アース端子部の強度が低くても、接地用電線を介して作用する張力等でアース端子部に曲げ変形が発生することを防止することができるアースジョイントコネクタを提供することにある。
【課題を解決するための手段】
【００２３】
本発明の前述した目的は、下記の構成により達成される。
（１）複数個の接続端子を一体形成したジョイント端子部と、該ジョイント端子部から延出するアーム部と、該アーム部の先端に設けられて接地接続されるアース端子部とを一枚の金属板で一体成形したアースジョイント端子と、
前記ジョイント端子部を収容するジョイント端子収容部を備えたコネクタハウジングと、
を備えたアースジョイントコネクタであって、
前記アーム部が、前記ジョイント端子部の側縁から前記コネクタハウジングの側面に延出する第１腕部と、この第１腕部の先端に折り曲げ形成されて前記コネクタハウジングの側面に当接する第２腕部とを備えたことを特徴とするアースジョイントコネクタ。
【００２４】
（２）前記ジョイント端子部は、前記アーム部が側縁から延出する第１のジョイント端子部と、この第１のジョイント端子部の後端側の折り返し部により前記第１のジョイント端子部に平行状態に成形された第２のジョイント端子部と、を備えていることを特徴とする上記（１）に記載のアースジョイントコネクタ。
【００２５】
（３）前記第１のジョイント端子部の後端側の折り返し部における稜線と、前記アーム部の第１腕部と第２腕部との間の折り曲げ部における稜線とが直交することを特徴とする上記（１）又は（２）に記載のアースジョイントコネクタ。
【００２６】
（４）前記コネクタハウジングの側面に、前記第１腕部を挿通させるスリットを設けたことを特徴とする上記（１）〜（３）のいずれか一つに記載のアースジョイントコネクタ。
【００２７】
（５）前記コネクタハウジングの外部に露出する位置に、前記第２腕部を前記コネクタハウジングの側面との間に挟持する係止片を設け、該係止片による挟持によって、前記アースジョイント端子が前記コネクタハウジングに固定されることを特徴とする上記（１）〜（４）のいずれか一つに記載のアースジョイントコネクタ。
【００２８】
（６）前記コネクタハウジングに、前記アース端子部を接地面との間に挟持する補強板を一体形成したことを特徴とする上記（１）〜（５）のいずれか一つに記載のアースジョイントコネクタ。
【００２９】
上記（１）の構成によれば、アースジョイント端子のアーム部の第２腕部がコネクタハウジングの側面に当接して、コネクタハウジングに対するジョイント端子部の位置規制手段として機能する。そのため、ジョイント端子部に嵌合接続される相手端子が少ない場合でも、コネクタハウジング内でのジョイント端子部のガタ付きを抑止することができる。
【００３０】
上記（２）の構成によれば、ジョイント端子部は、第１のジョイント端子部の側縁に連なるアーム部の第１腕部と第２腕部との境界部分、及び第１のジョイント端子部の後端縁の２辺で折り曲げされて、周囲の曲げ箇所が増えたことで、剛性が向上する。また、第１のジョイント端子部と第２のジョイント端子部との連結が、第１のジョイント端子部の後端縁の全幅の折り返しで、連結部が大きいため、第１のジョイント端子部とジョイント端子部との間の連結強度も高い。従って、ジョイント端子部全体の剛性が高くなり、コネクタハウジングへの取り付け性が向上する。
【００３１】
上記（３）の構成によれば、アースジョイント端子の展開形状は、第１のジョイント端子部と折り返し部と第２のジョイント端子部との並び方向と、第１のジョイント端子部とアーム部とアース端子部との並び方向とが直交する単純な形態になり、効率の良い板取りが可能になる。
【００３２】
上記（４）の構成によれば、コネクタハウジングの側面に設けたスリットが第１腕部を位置決めする位置規制手段として有用に働くため、ジョイント端子部のガタ付きを更に抑止することができる。
【００３３】
上記（５）の構成によれば、コネクタハウジングに設けられた係止片が第２腕部を挟持することで、確実にアーム部をコネクタハウジングの側面に固定することができ、コネクタハウジング内でのジョイント端子部のガタ付き防止を更に確実なものにすることができる。
【００３４】
また、係止片が外部に露出する位置にあるため、コネクタハウジングとアースジョイント端子との係止状態を目視により簡単に確認することができ、分解する際には目視で係止の解除を確認できるため、分解作業を容易にすることもできる。
【００３５】
上記（６）の構成によれば、アース端子部は、それ自体の強度が低くても、コネクタハウジングに一体形成された補強板による挟持によって接地面にしっかりと固定されるため、接地用電線を介して作用する張力等でアース端子部に曲げ変形が発生することを防止することができる。
【発明の効果】
【００３６】
本発明によるアースジョイントコネクタによれば、アースジョイント端子のアーム部の第２腕部がコネクタハウジングの側面に当接して、コネクタハウジングに対するジョイント端子部の位置規制手段として機能する。そのため、ジョイント端子部に嵌合接続される相手端子が少ない場合でも、コネクタハウジング内でのジョイント端子部のガタ付きを抑止することができる。
【図面の簡単な説明】
【００３７】
【図１】本発明に係るアースジョイントコネクタの第１実施形態の前方且つ上方から見た斜視図である。
【図２】第１実施形態のアースジョイントコネクタの後方且つ上方から見た斜視図である。
【図３】第１実施形態のアースジョイントコネクタの後方且つ上方から見た分解斜視図である。
【図４】第１実施形態のアースジョイントコネクタに使用されるアースジョイント端子の側方且つ上方から見た斜視図である。
【図５】図４に示したアースジョイント端子の展開図である。
【図６】第１実施形態のアースジョイントコネクタに他の接地用電線が接続されている状態の説明図である。
【図７】本発明に係るアースジョイントコネクタの第２実施形態の前方且つ上方から見た分解斜視図である。
【図８】第２実施形態のアースジョイントコネクタの組立状態の前方且つ上方から見た斜視図である。
【図９】本発明に係るアースジョイントコネクタの第３実施形態の前方且つ上方から見た分解斜視図である。
【図１０】第３実施形態のアースジョイントコネクタの組立状態の前方且つ上方から見た斜視図である。
【図１１】従来のアースジョイントコネクタの斜視図である。
【図１２】図１１に示したアースジョイントコネクタの側断面図である。
【図１３】従来の別のアースジョイントコネクタの分解斜視図である。
【図１４】図１３に示したアースジョイント端子の変形例の斜視図である。
【図１５】従来の更に別のアースジョイントコネクタの分解斜視図である。
【図１６】従来のアースジョイントコネクタの問題点の説明図である。
【発明を実施するための形態】
【００３８】
以下、本発明に係るアースジョイントコネクタの好適な実施形態について、図面を参照して詳細に説明する。
【００３９】
［第１実施形態］
図１〜図６は、本発明に係るアースジョイントコネクタの第１実施形態を示したものである。
【００４０】
この第１実施形態のアースジョイントコネクタ１１は、図１〜図３に示すように、アースジョイント端子１３とコネクタハウジング１５とから構成されている。
【００４１】
アースジョイント端子１３は、図３及び図４に示すように、複数個の舌状の接続端子２１０を櫛歯状に一体形成したジョイント端子部２２０と、該ジョイント端子部２２０から延出するアーム部２３０と、該アーム部２３０の先端に設けられて接地接続されるアース端子部２４０とを一枚の金属板で一体成形されている。
【００４２】
本実施形態のジョイント端子部２２０は、アーム部２３０が側縁から延出する第１のジョイント端子部２２１と、この第１のジョイント端子部２２１の後端側の折り返し部２２２により第１のジョイント端子部２２１に平行状態に成形された第２のジョイント端子部２２３と、を備えている。
【００４３】
ジョイント端子部２２０は、図４の矢印Ｂ方向に見た側面視では、コ字状を呈している。
【００４４】
本実施形態のアーム部２３０は、第１のジョイント端子部２２１の側縁からコネクタハウジング１５の側面に延出する第１腕部２３１と、この第１腕部２３１の先端の折り曲げ部２３３において折り曲げられてコネクタハウジング１５の側面３１３に当接する第２腕部２３２とを備えている。第１腕部２３１の先端の折り曲げ部２３３は、直角曲げである。
【００４５】
アース端子部２４０は、第２腕部２３２の先端に折り曲げ形成されている。第２腕部２３２の先端の折り曲げ部２３４は、直角曲げである。従って、アース端子部２４０は、第１のジョイント端子部２２１や第２のジョイント端子部２２３と平行になって、ジョイント端子部２２０の側方に延出している。
【００４６】
図５は、以上に説明したアースジョイント端子１３の展開図である。
図示のように、第１のジョイント端子部２２１の後端側の折り返し部２２２における稜線（折り曲げ線）２２５，２２６と、アーム部２３０の第１腕部２３１と第２腕部２３２との間の折り曲げ部２３３，２３４における稜線（折り曲げ線）２３５，２３６とが直交している。
【００４７】
本実施形態のコネクタハウジング１５は、樹脂成形品で、図１〜図３に示すように、ジョイント端子部２２０を収容するジョイント端子収容部３１１と、相手側のコネクタハウジング３１（図６参照）が嵌合するコネクタ嵌合部３２１とを備えている。
【００４８】
また、本実施形態のコネクタハウジング１５は、図３に示すように、ジョイント端子収容部３１１の側面３１３に、第１腕部２３１を挿通させるスリット３１４を設けている。
【００４９】
図６は、上記第１実施形態のアースジョイントコネクタ１１に、相手側のコネクタハウジング３１が嵌合接続されると共に、アース端子部２４０に外部のアース接続端子３３が接続された状態を示している。
【００５０】
第１実施形態のアースジョイントコネクタ１１では、アース端子部２４０が、コネクタハウジング１５の側方に延出した配置になる。そのため、外部のアース接続端子３３に接続された接地電線３５と、相手側のコネクタハウジング３１に接続された複数の接地接続用の電線３７とを互いに平行に布設でき、電線３５や電線３７をアースジョイントコネクタ１１に接続する作業が容易になる。
【００５１】
以上に説明した第１実施形態のアースジョイントコネクタ１１では、アースジョイント端子１３のアーム部２３０の第２腕部２３２が図１及び図２に示すようにコネクタハウジング１５の側面に当接して、コネクタハウジング１５に対するジョイント端子部２２０の位置規制手段として機能する。そのため、ジョイント端子部２２０に嵌合接続される相手端子が少ない場合でも、コネクタハウジング１５内でのジョイント端子部２２０のガタ付きを抑止することができる。
【００５２】
また、第１実施形態のアースジョイントコネクタ１１では、ジョイント端子部２２０は、第１のジョイント端子部２２１の側縁に連なるアーム部２３０の第１腕部２３１と第２腕部２３２との境界部分、及び第１のジョイント端子部２２１の後端縁の２辺で折り曲げされて、周囲の曲げ箇所が増えたことで、剛性が向上する。また、第１のジョイント端子部２２１と第２のジョイント端子部２２３との連結が、第１のジョイント端子部２２１の後端縁の全幅の折り返しで、連結部が大きいため、第１のジョイント端子部２２１とジョイント端子部２２０との間の連結強度も高い。従って、ジョイント端子部２２０全体の剛性が高くなり、コネクタハウジング１５への取り付け性が向上する。
【００５３】
また、第１実施形態のアースジョイントコネクタ１１では、アースジョイント端子１３の展開形状は、図５に示したように、第１のジョイント端子部２２１と折り返し部２２２と第２のジョイント端子部２２３との並び方向（図５の矢印Ｘ方向）と、第１のジョイント端子部２２１とアーム部２３０とアース端子部２４０との並び方向（図５の矢印Ｙ方向）とが直交する単純な形態になり、効率の良い板取りが可能になる。
【００５４】
また、第１実施形態のアースジョイントコネクタ１１では、図３に示したように、コネクタハウジング１５の側面３１３に設けたスリット３１４が第１腕部２３１を位置決めする位置規制手段として有用に働く。そのため、ジョイント端子部２２０のガタ付きを更に抑止することができる。
【００５５】
［第２実施形態］
図７は本発明に係るアースジョイントコネクタの第２実施形態の前方且つ上方から見た分解斜視図、図８は第２実施形態のアースジョイントコネクタの組立状態の前方且つ上方から見た斜視図である。
【００５６】
この第２実施形態のアースジョイントコネクタ１１Ａは、アースジョイント端子１３を収容するコネクタハウジング１５Ａの外部に露出する位置に、係止片３３１が設けられている。この係止片３３１は、アースジョイント端子１３におけるアーム部２３０の第２腕部２３２をジョイント端子収容部３１１の側面３１３との間に挟持する。このコネクタハウジング１５Ａでは、係止片３３１による挟持によって、アースジョイント端子１３をコネクタハウジング１５に固定している。
【００５７】
コネクタハウジング１５Ａは、係止片３３１以外の構成は、第１実施形態のコネクタハウジング１５と同一の構成である。また、コネクタハウジング１５Ａに装着されるアースジョイント端子１３も第１実施形態のものと同一である。
【００５８】
第１実施形態と共通の構成には、第１実施形態と同じ符号を付すことによって、説明を省略する。
【００５９】
この第２実施形態のアースジョイントコネクタ１１Ａでは、第１実施形態における作用・効果に加えて、次の作用・効果を得ることができる。
【００６０】
即ち、コネクタハウジング１５Ａに設けられた係止片３３１が第２腕部２３２を挟持することで、確実にアーム部２３０をコネクタハウジング１５の側面３１３に固定することができ、コネクタハウジング１５内でのジョイント端子部２２０のガタ付き防止を更に確実なものにすることができる。
【００６１】
また、係止片３３１が外部に露出する位置にあるため、コネクタハウジング１５とアースジョイント端子１３との係止状態を目視により簡単に確認することができ、分解する際には目視で係止の解除を確認できるため、分解作業を容易にすることもできる。
【００６２】
［第３実施形態］
図９は本発明に係るアースジョイントコネクタの第３実施形態の前方且つ上方から見た分解斜視図、図１０は第３実施形態のアースジョイントコネクタの組立状態の前方且つ上方から見た斜視図である。
【００６３】
この第３実施形態のアースジョイントコネクタ１１Ｂは、アースジョイント端子１３を収容するコネクタハウジング１５Ｂの側面に、補強板３４１が一体形成されている。
【００６４】
補強板３４１は、アース端子部２４０を不図示の接地面（例えば、車両の車体等）との間に挟持するように、アースジョイントコネクタ１１Ｂの外側面に水平に突設されている。
【００６５】
コネクタハウジング１５Ｂは、補強板３４１以外の構成は、第１実施形態のコネクタハウジング１５と同一の構成である。また、コネクタハウジング１５Ｂに装着されるアースジョイント端子１３も第１実施形態のものと同一である。
【００６６】
第１実施形態と共通の構成には、第１実施形態と同じ符号を付すことによって、説明を省略する。
【００６７】
図示はしていないが、コネクタハウジング１５Ｂにおけるジョイント端子収容部３１１の側面にも、第１実施形態と同様に、第１腕部２３１を挿通させるスリットが設けられている。
【００６８】
上記の補強板３４１は、図１０にも示しているように、ジョイント端子収容部３１１の側面のスリットからハウジングの側方に延出したアース端子部２４０の上に重なるように、コネクタハウジング１５Ｂに一体形成されている。
【００６９】
また、補強板３４１には、ボルト穴３４２が貫通形成されている。このボルト穴３４２は、ボルト４１を挿通する穴で、アース端子部２４０のボルト穴２４１と整合するように、設けられている。補強板３４１は、アース端子部２４０の上に重なった状態で、接地部材に共締めされる。
【００７０】
この第３実施形態のアースジョイントコネクタ１１Ｂでは、第１実施形態における作用・効果に加えて、次の作用・効果を得ることができる。
【００７１】
即ち、アース端子部２４０は、それ自体の強度が低くても、コネクタハウジング１５Ｂ一体形成された補強板３４１による挟持によって接地面にしっかりと固定されるため、接地用電線を介して作用する張力等でアース端子部２４０に曲げ変形が発生することを防止することができる。
【００７２】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００７３】
１１，１１Ａ，１１Ｂ  アースジョイントコネクタ
１３  アースジョイント端子
１５，１５Ａ，１５Ｂ  コネクタハウジング
２１０  接続端子
２２０  ジョイント端子部
２２１  第１のジョイント端子部
２２２  折り返し部
２２３  第２のジョイント端子部
２２５，２２６  稜線（折り曲げ線）
２３０  アーム部
２３１  第１腕部
２３２  第２腕部
２３３，２３４  折り曲げ部
２３５，２３６  稜線（折り曲げ線）
２４０  アース端子部
３１１  ジョイント端子収容部
３１３  側面
３１４  スリット
３２１  コネクタ嵌合部
３３１  係止片
３４１  補強板
【図１】
2011065931.tif 000003
【図２】
2011065931.tif 000004
【図３】
2011065931.tif 000005
【図４】
2011065931.tif 000006
【図５】
2011065931.tif 000007
【図６】
2011065931.tif 000008
【図７】
2011065931.tif 000009
【図８】
2011065931.tif 000010
【図９】
2011065931.tif 000011
【図１０】
2011065931.tif 000012
【図１１】
2011065931.tif 000013
【図１２】
2011065931.tif 000014
【図１３】
2011065931.tif 000015
【図１４】
2011065931.tif 000016
【図１５】
2011065931.tif 000017
【図１６】
2011065931.tif 000018